(57)【要約】【課題】室内側に露出してダウンライトを天井に固定する固定部材と、この固定部材に対して室内側から挿入した状態で固定部材に溶着する補助部材とを有するダウンライトでは、溶着部分が破断すると、補助部材は自重によって室内へと落下する。すると、室内にいる人が驚くなどの不具合が生じる。【解決手段】天井に固定した状態で上記溶着した部分が破断した場合に、固定部材に係合して補助部材が室内側に落下することを防止する係合部を上記補助部材に設けた。【選択図】  図４
2019200925.tif 000002
【特許請求の範囲】
【請求項１】
天井に埋設されるダウンライトであって、ダウンライトの本体を天井の上部に設置し、室内側に露出してその本体を天井の下面側から固定する固定部材を備え、この固定部材に対して室内に露出する側から嵌め込まれた状態で固定部材に溶着される補助部材を有するダウンライトにおいて、天井に固定した状態で上記溶着した部分が破断した場合に、固定部材に係合して補助部材が室内側に落下することを防止する係合部を上記補助部材に設けたことを特徴とするダウンライト。
【請求項２】
上記固定部材は中央が開口した環状に形成されており、上記補助部材は室内側に広がる円錐形状に形成され、この開口に挿入される導光板として作用することを特徴とする請求項１に記載のダウンライト。
【請求項３】
上記補助部材の表面の一部であって、補助部材が固定部材に溶着されている状態では固定部材に覆われて目視できず、かつ、溶着部分が破断して上記係合部が固定部材に係合する状態では露出して目視できる位置に、溶着部分が破断したことを報知する報知部を設けたことを特徴とする請求項１または請求項２に記載のダウンライト。
【発明の詳細な説明】
【技術分野】
【０００１】
本発明は、浴室の天井などに埋設され、天井から室内を照明するダウンライトに関する。
【背景技術】
【０００２】
例えば浴室内を照明するための照明装置が浴室に設けられている。このような照明装置として、天井に形成した取付穴に埋設するダウンライトと呼ばれる形式の照明器具が知られている（例えば、特許文献１参照）。
【０００３】
このようなダウンライトでは照明装置の本体は天井の上部に位置して、室内側に露出する固定部材によって照明装置が天井に固定されている。この固定部材は、例えば中央が開口する環状に形成されており、その開口の内側にＬＥＤなどの発光体が配置されている。従って、発光体から照出される照明光は固定部材の開口から室内へと放出される。
【０００４】
その放出される照明光を室内に広く拡散させたり、あるいはダウンライトの直下範囲にスポットライト状に集光させるため、上記固定板の開口の内側に導光板などの補助部材を取り付ける場合がある。
【０００５】
このように、固定部材に補助部材を取り付ける手段として、例えば溶着があり（例えば、特許文献２参照）、補助部材と固定部材とを共に樹脂で形成して、補助部材を固定部材の開口に嵌め込み、さらに補助部材を固定部材に超音波などによって溶着する場合がある。
【先行技術文献】
【特許文献】
【０００６】
【特許文献１】特開２０１４−２２０８８３号公報（図１）
【特許文献２】特開２０１２−１３３９６３号公報（段落[００５０]、図２（ｂ））
【発明の概要】
【発明が解決しようとする課題】
【０００７】
上記溶着を行うと、固定部材と補助部材とが接触している部分を局所的に溶融させるため、両者の溶融した部分が冷却して硬化しても、耐候性や耐薬品性といった性能が溶融前より劣化する場合が多い。
【０００８】
特に浴室の天井に設置する場合には、高温や高湿度の環境にさらされ、あるいは天井の清掃時にカビ取り剤などの洗剤が使用され、その洗剤が溶着部分に作用する場合が考えられる。すると、溶着部分の経年劣化が早められ、溶着部分が破断するおそれが生じる。
【０００９】
溶着部分が破断すると、補助部材は室内側から固定部材に挿入して溶着しているので、補助部材は自重によって室内へと落下することになる。このように、補助部材が突然落下すると、浴室の場合であれば入浴者が驚くなどの不具合が生じる。
【００１０】
そこで本発明は、上記の問題点に鑑み、固定部材と補助部材との溶着部分が破断しても補助部材が室内側に落下することのないダウンライトを提供することを課題とする。
【課題を解決するための手段】
【００１１】
上記課題を解決するために本発明によるダウンライトは、天井に埋設されるダウンライトであって、ダウンライトの本体を天井の上部に設置し、室内側に露出してその本体を天井の下面側から固定する固定部材を備え、この固定部材に対して室内に露出する側から嵌め込まれた状態で固定部材に溶着される補助部材を有するダウンライトにおいて、天井に固定した状態で上記溶着した部分が破断した場合に、固定部材に係合して補助部材が室内側に落下することを防止する係合部を上記補助部材に設けたことを特徴とする。
【００１２】
上記構成によれば、上記溶着部分が破断すると、補助部材は室内側に落下しようと下方に移動するが、その移動は上記係合部が固定部材に係合することによって規制され、補助部材が室内へと落下することが防止される。
【００１３】
なお、具体的には、上記固定部材は中央が開口した環状に形成されており、上記補助部材は室内側に広がる円錐形状に形成され、この開口に挿入される導光板として作用するように構成する場合がある。
【００１４】
ところで、溶着部分が破断しても補助部材が室内へと落下しないと、溶着部分が破断したことに気付かないおそれが生じる。そこで、上記補助部材の表面の一部であって、補助部材が固定部材に溶着されている状態では固定部材に覆われて目視できず、かつ、溶着部分が破断して上記係合部が固定部材に係合する状態では露出して目視できる位置に、溶着部分が破断したことを報知する報知部を設けることが望ましい。
【発明の効果】
【００１５】
以上の説明から明らかなように、本発明は、固定部材と補助部材との溶着部分が経年劣化等によって破断しても補助部材が室内側に落下しないので、補助部材の落下によって室内の人間が驚くことがなく、また、溶着部分の破断後であってもダウンライトを交換するまでダウンライトをそのまま継続して使用することができる。
【図面の簡単な説明】
【００１６】
【図１】本発明のダウンライトを室内側から見た図
【図２】固定部材と補助部材との形状を示す図
【図３】固定部材に補助部材を溶着した状態を示す断面図
【図４】固定部材と補助部材とが溶着した状態（ａ）と、破断した状態（ｂ）とを示す図
【発明を実施するための形態】
【００１７】
図１を参照して、１は天井ＣＬに固定されているダウンライトである。このダウンライト１は天井ＣＬであれば場所を選ばず設置することができる。なお、本発明によるダウンライト１は特に浴室の天井ＣＬに好適である。
【００１８】
天井ＣＬには図示しない円形の開口が形成され、天井ＣＬの上部に配置された器具本体（図示せず）に対して室内側から固定部材２を開口に挿入して器具本体と固定部材２とを連結させることによってダウンライト１を天井ＣＬに固定している。
【００１９】
本実施の形態では、このダウンライト１は発光源としてＬＥＤを用いており、そのＬＥＤは固定部材２の中央奥側に設置されている。そしてＬＥＤから照出された光は補助部材である導光板３に囲まれた空間を通って室内へと進む。なお、その室内への光を室内に広く拡散させたい場合には導光板３の内周面は白色や金属色に設定され、逆に光が広がらずにダウンライト１の直下位置に限定したい場合には、導光板３の内周面を黒色にする。
【００２０】
固定部材２および導光板３は共に樹脂製であるが別部材として成型し、その後に超音波溶着により相互に連結して一体化している。
【００２１】
図２および図３を参照して、固定部材２に対して導光板３を室内側から挿入し、導光板３側の溶着面３２を固定部材２側の溶着面２３に当接させ、両溶着面２３，３２の当接部分に超音波を作用させて、主に溶着面３２側を溶融させて溶着を行った。なお、導光板３の上部には半透明な拡散板４が固定されており、図示しないＬＥＤはこの拡散板４の上方に位置して室内側とＬＥＤ側とをこの拡散板４で隔絶するように構成した。
【００２２】
導光板３の外周面には係合部３１を突設した。固定部材２の内周面に受部２１を形成し、上記溶着部分が破断した場合であっても係合部３１が受部２１に係合して、導光板３が室内へと落下することを防止する。なお、受部２１には切り欠き部２２が設けられており、係合部３１はこの切り欠き部２２を通って受部２１の上方に移動し、さらに導光板３を回転させて係合部３１が受部２１の上方に位置する位相にセットした状態で溶着を行う。
ただし、導光板３の位相を確実に決めるため、導光板３側の溶着面３２に切り欠き３３を設けると共に、固定部材２側の溶着面２３に図示しない突起を設けて、その突起が切り欠き３３に嵌まった状態で導光板３の位相決めが行われ、かつ溶着が可能になるようにした。なお、３４は後述する報知部である。
【００２３】
上述のように超音波溶着を行うと、溶着面２３，３２が局所的に一旦溶融し、その後硬化するため、その溶着した部分が他の部分より劣化し、特にポリカーボネートの場合には加水分解して機械的強度が低下する場合が生じる。溶着部分における機械的強度の低下が進行すると、溶着部分が経年劣化によって破断する場合が生じる。
【００２４】
図４を参照して、溶着部分が破断する前では、本図（ａ）に示すように、係合部３１は受部２１に当接することなく、両者の間には隙間が保持されているが、溶着部分が破断すると、導光板３は重力によって下方に移動する。ただし、同図（ｂ）に示すように、係合部３１が受部２１に係合して、その位置で導光板３は止まり、導光板３が室内へと落下することが防止される。
【００２５】
ただし、ダウンライト１は見上げて目視することの少ない天井ＣＬに固定されており、かつ、導光板３が室内へと落下しないので、溶着部分が破断してもそのことを察知することは困難である。そこで、溶着部分が破断しなければ外部には露出しないが、破断した状態では外部に露出する報知部３４によって、溶着部が破断した旨を報知することとした。具体的には、例えば報知部３４を赤色に着色しておき、溶着部が破断すると報知部３４が赤いリング状に出現して溶着部が破断したことを目視によって知ることができるようにすることが考えられる。ただし、報知部３４を赤色にすることに限定されるものではない。
【００２６】
なお、本発明は上記した形態に限定されるものではなく、本発明の要旨を逸脱しない範囲内において種々の変更を加えてもかまわない。
【符号の説明】
【００２７】
１ ダウンライト
２ 固定部材
３ 導光板
４ 拡散板
２１ 受部
２３ 溶着面
３１ 係合部
３２ 溶着面
３４ 報知部
【図１】
2019200925.tif 000003
【図２】
2019200925.tif 000004
【図３】
2019200925.tif 000005
【図４】
2019200925.tif 000006